Podtech/llm-jp-corpus-v4-ja_patent huggingface dataset:
【手続補正書】
【提出日】平成15年7月4日(2003.7.4)
【手続補正１】
【補正対象書類名】明細書
【補正対象項目名】特許請求の範囲
【補正方法】変更
【補正の内容】
【特許請求の範囲】
【請求項１】
性機能障害の治療又は予防のための薬剤であって、ボンベシン受容体アンタゴニストを含む前記薬剤。
【請求項２】
前記機能障害が、性的興奮の全身性無応答性及び加齢性低下に又は薬剤誘導性性機能障害に関連する、請求項１記載の薬剤。
【請求項３】
女性性機能障害を治療又は予防するための、請求項１又は２に記載の薬剤。
【請求項４】
以下の：
（ａ）低活動性欲求障害；
（ｂ）性的興奮障害；
（ｃ）オルガスム障害又は無オルガスム症；
（ｄ）性交痛障害；及び
（ｅ）抗うつ薬又は高血圧治療薬を受容した患者における性機能障害；
のいずれかの治療又は予防のための、請求項３に記載の薬剤。
【請求項５】
以下の：
（ａ）クリトリス又は膣における局所血流に又は潤滑物質に作用する血管拡張薬；
（ｂ）ＰＤＥ５阻害剤、好ましくはシルデナフィル又は医薬として許容されるその塩；
（ｃ）ＶＩＰ強化剤；
（ｄ）アンギオテンシン−２受容体；
（ｅ）エストロゲン；
（ｆ）アンドロゲン；及び
（ｇ）神経伝達物質モジュレーター；
のいずれかとともに、前記ボンベシン受容体アンタゴニストを含む、請求項３又は４に記載の薬剤。
【請求項６】
男性性機能障害を治療又は予防するための、請求項１又は２に記載の薬剤。
【請求項７】
以下の：
（ａ）勃起機能障害；
（ｂ）心因性性機能障害；及び
（ｃ）薬剤誘導性性機能障害；
のいずれかの治療又は予防のための、請求項６に記載の薬剤。
【請求項８】
以下の：
（ａ）ペニスにおける局所血流に作用する血管拡張薬；
（ｂ）ＰＤＥ５阻害剤、好ましくはシルデナフィル又は医薬として許容されるその塩；
（ｃ）ＶＩＰ強化剤；
（ｄ）アンギオテンシン−２受容体；
（ｅ）アンドロゲン；及び
（ｆ）神経伝達物質モジュレーター；
のいずれかとともに、前記ボンベシン受容体アンタゴニストを含む、請求項６又は７に記載の薬剤。
【請求項９】
以下の：
（ａ）アルプロスタジル又はフェントラミン；
（ｂ）ＮＯの産生を促す化合物；
（ｃ）性機能障害の治療のために有用な、ステロイド・ホルモンのモジュレーター、ステロイド・ホルモン又はホルモン産物；及び
（ｄ）性機能障害の治療のために有用な、神経伝達物質アゴニスト又はアンタゴニスト、モノアミン合成修飾剤、又はモノアミン代謝又は取り込み修飾剤；
のいずれかとともに、前記ボンベシン受容体アンタゴニストを含む、請求項１〜４、及び６〜７のいずれか１項に記載の薬剤。
【請求項１０】
前記ステロイド・ホルモンが、エストロゲン又はアンドロゲンから選ばれる、請求項９に記載の薬剤。
【請求項１１】
前記神経伝達物質アゴニスト又はアンタゴニストが、キネロラン、リタンセリン、パラ−クロロフェニルアラニン又はイミプラミンから選ばれる、請求項９に記載の薬剤。
【請求項１２】
前記ボンベシン受容体アンタゴニストが、ＢＢI 受容体について選択的親和性を有する、請求項１〜１１のいずれか１項に記載の薬剤。
【請求項１３】
前記ボンベシン受容体アンタゴニストが非ペプチドである、請求項１〜１２のいずれか１項に記載の薬剤。
【請求項１４】
前記非ボンベシン受容体アンタゴニストが、経口投与されるとき吸収性である化合物である、請求項１３に記載の薬剤。
【請求項１５】
前記ボンベシン受容体アンタゴニストがペプチドである、請求項１〜１２のいずれか１項に記載の薬剤。
【手続補正書】
【提出日】平成16年12月2日(2004.12.2)
【手続補正１】
【補正対象書類名】明細書
【補正対象項目名】特許請求の範囲
【補正方法】変更
【補正の内容】
【特許請求の範囲】
【請求項１】  式（Ｉ）：
【化１】
2004525868.tif 000001
（式中、Ｘは、アルキレンまたはアルケニレンであり；
Ｙは、−ＣＯ−、−ＣＳ−、または−ＳＯ2−であり；
Ｚは、結合、−Ｏ−、−Ｓ−、または−ＮＲ5−であり；
Ｒ1は、アリール、ヘテロアリール、ヘテロシクリル、Ｃ1〜20アルキルまたはＣ2〜20アルケニルであって、それぞれ、未置換であってもよく、または以下からなる群から独立に選択される１つ以上の置換基で置換されていてもよく：
−アルキル；
−アルケニル；
−アリール；
−ヘテロアリール；
−ヘテロシクリル；
−置換シクロアルキル；
−Ｏ−アルキル；
−Ｏ−（アルキル）0〜1−アリール；
−Ｏ−（アルキル）0〜1−ヘテロアリール；
−Ｏ−（アルキル）0〜1−ヘテロシクリル；
−ＣＯＯＨ；
−ＣＯ−Ｏ−アルキル；
−ＣＯ−アルキル；
−Ｓ（Ｏ）0〜2−アルキル；
−Ｓ（Ｏ）0〜2−（アルキル）0〜1−アリール；
−Ｓ（Ｏ）0〜2−（アルキル）0〜1−ヘテロアリール；
−Ｓ（Ｏ）0〜2−（アルキル）0〜1−ヘテロシクリル；
−（アルキル）0〜1−ＮＮ（Ｒ5）2；
−（アルキル）0〜1−ＮＲ5−ＣＯ−Ｏ−アルキル；
−（アルキル）0〜1−ＮＲ5−ＣＯ−アルキル；
−（アルキル）0〜1−ＮＲ5−ＣＯ−アリール；
−（アルキル）0〜1−ＮＲ5−ＣＯ−ヘテロアリール；
−Ｎ3；
−ハロゲン；
−ハロアルキル；
−ハロアルコキシ；
−ＣＯ−ハロアルキル；
−ＣＯ−ハロアルコキシ；
−ＮＯ2；
−ＣＮ；
−ＯＨ；
−ＳＨ；およびアルキル、アルケニル、およびヘテロシクリルの場合には、オキソ；
Ｒ2は、
−水素；
−アルキル；
−アルケニル；
−アルキル−Ｏ−アルキル；
−アルキル−Ｓ−アルキル；
−アルキル−Ｏ−アリール；
−アルキル−Ｓ−アリール；
−アルキル−Ｏ−アルケニル；
−アルキル−Ｓ−アルケニル；および
−ＯＨ；
−ハロゲン；
−Ｎ（Ｒ5）2；
−ＣＯ−Ｎ（Ｒ5）2；
−ＣＳ−Ｎ（Ｒ5）2；
−ＳＯ2−Ｎ（Ｒ5）2；
−ＮＲ5−ＣＯ−Ｃ1〜10アルキル；
−ＮＲ5−ＣＳ−Ｃ1〜10アルキル；
−ＮＲ5−ＳＯ2−Ｃ1〜10アルキル；
−ＣＯ−Ｃ1〜10アルキル；
−ＣＯ−Ｏ−Ｃ1〜10アルキル；
−Ｎ3；
−アリール；
−ヘテロアリール；
−ヘテロシクリル；
−ＣＯ−アリール；および
−ＣＯ−ヘテロアリール；
からなる群から選択される１つ以上の置換基で置換されたアルキルまたはアルケニル；
からなる群から選択され：
Ｒ3およびＲ4は、アルキル、アルケニル、ハロゲン、アルコキシ、アミノ、アルキルアミノ、ジアルキルアミノおよびアルキルチオからなる群から独立に選択され；
各Ｒ5は、独立に、ＨまたはＣ1〜10アルキルである。）
の化合物、またはその薬学的に許容できる塩。
【請求項２】  Ｙが−ＣＯ−であり、Ｚが結合である、請求項１に記載の化合物または塩。
【請求項３】  Ｙが−ＣＯ−であり、Ｚが−ＮＲ5−である、請求項１に記載の化合物または塩。
【請求項４】  Ｙが−ＳＯ2−であり、Ｚが結合である、請求項１に記載の化合物または塩。
【請求項５】  Ｒ1がアルキルまたはアリールである、請求項２、３または４に記載の化合物または塩。
【請求項６】  Ｒ2がＨ、アルキル、またはアルキル−Ｏ−アルキルである、請求項１に記載の化合物または塩。
【請求項７】  ＸがＣ1-4アルキレンである、請求項１に記載の化合物または塩。
【請求項８】  Ｒ3およびＲ4が、独立にＨまたはアルキルである、請求項１に記載の化合物または塩。
【請求項９】  薬学的に許容できるキャリヤーと組み合わせて、請求項１〜８のいずれか一項に記載の化合物または塩の治療有効量を含む医薬組成物。
【請求項１０】  請求項１〜８のいずれか一項に記載の化合物または塩の治療有効量を動物に投与することを含む、動物でサイトカイン生合成を誘導する方法。
【請求項１１】  式（ＩＩ）：
【化２】
2004525868.tif 000002
（式中、：Ｘは、アルキレンまたはアルケニレンであり；
Ｒ2は、
−水素；
−アルキル；
−アルケニル；
−アルキル−Ｏ−アルキル；
−アルキル−Ｓ−アルキル；
−アルキル−Ｏ−アリール；
−アルキル−Ｓ−アリール；
−アルキル−Ｏ−アルケニル；
−アルキル−Ｓ−アルケニル；および
−ＯＨ；
−ハロゲン；
−Ｎ（Ｒ5）2；
−ＣＯ−Ｎ（Ｒ5）2；
−ＣＳ−Ｎ（Ｒ5）2；
−ＳＯ2−Ｎ（Ｒ5）2；
−ＮＲ5−ＣＯ−Ｃ1〜10アルキル；
−ＮＲ5−ＣＳ−Ｃ1〜10アルキル；
−ＮＲ5−ＳＯ2−Ｃ1〜10アルキル；
−ＣＯ−Ｃ1〜10アルキル；
−ＣＯ−Ｏ−Ｃ1〜10アルキル；
−Ｎ3；
−アリール；
−ヘテロアリール；
−ヘテロシクリル；
−ＣＯ−アリール；および
−ＣＯ−ヘテロアリール；
からなる群から選択される１つ以上の置換基で置換されたアルキルまたはアルケニル；
からなる群から選択され：
Ｒ3およびＲ4は、アルキル、アルケニル、ハロゲン、アルコキシ、アミノ、アルキルアミノ、ジアルキルアミノおよびアルキルチオからなる群から独立に選択され；
各Ｒ5は、独立に、ＨまたはＣ1〜10アルキルである。）
化合物、またはその薬学的に許容できる塩。
【手続補正書】
【提出日】平成16年4月14日(2004.4.14)
【手続補正１】
【補正対象書類名】明細書
【補正対象項目名】００３７
【補正方法】変更
【補正の内容】
【００３７】
上記のように、本発明の化合物、方法、および組成物は、牛ウイルス性下痢ウイルス(ＢＶＤＶ)感染、およびＣ型肝炎ウイルス(ＨＣＶ)感染を処置するのに有用である。牛ウイルス性下痢ウイルス感染という用語は、牛ウイルス性疾患ウイルス(ＢＶＤＶ)と分類されるウイルスによって引き起こされる、何れかの感染(例えば急性、潜伏性、または持続性)を意味する。上記のように、ＢＶＤＶは、Pestivirus属およびFlaviviridae 科の、エンベロープ型一本鎖ポジティブ・センス ＲＮＡウイルスである。本明細書で用いる牛ウイルス性疾患ウイルス(ＢＶＤＶ)という用語は、全てのＢＶＤＶ株、およびその全てのセロタイプおよび変異体を含み、生きた、弱毒化した、致死させた、または他の何らかの方法で不活化したものを含む。ＢＶＤＶという用語は、特に細胞変形株（cytopathic）および非細胞変形株を含み、バイオタイプＩおよびバイオタイプIIの両方の株を含む。“Ｃ型肝炎ウイルス(ＨＣＶ)感染”という用語は、Ｃ型肝炎ウイルス(ＨＣＶ)[ＨＣＶの全ての株、セロタイプ、および変異体を含む]によって引き起こされる如何なる感染も含む。
【手続補正書】
【提出日】平成15年10月16日(2003.10.16)
【手続補正１】
【補正対象書類名】特許請求の範囲
【補正対象項目名】全文
【補正方法】変更
【補正の内容】
【特許請求の範囲】
【請求項１】
蓋に掛止係合するための下面を有し、外向きに突出した環状の上方及び下方周縁掛止フランジを備えた容器のための蓋であって、
中央部分と、前記容器の前記上方及び下方掛止フランジに被さる環状の周縁スカートとから成り、該周縁スカートは、該スカートを容器の前記上方掛止フランジに近接するスカート上方部分と容器の前記下方掛止フランジに近接する下方切り離しストリップ部分とに分割する環状溝を有しており、前記スカート上方部分は、容器の前記上方掛止フランジの下面に係合するようになされた、内向きに突出した間欠掛止フランジセグメントを有しており、前記切り離しストリップ部分は、容器の前記下方掛止フランジの下面に係合するようになされた、内向きに突出した掛止フランジを有しており、前記切り離しストリップ部分が除去されたとき、前記各掛止フランジセグメントの両側に周方向に近接した位置に薄膜によって全体的に覆われた下向きの薄膜ノッチが残されるように、前記スカート上方部分には、前記各掛止フランジセグメントの両側に周方向に近接して、かつ、前記環状溝に隣接して、薄膜によって全体的に覆われた薄膜窓が形成されていることを特徴とする蓋。
【請求項２】
前記切り離しストリップ部分が除去されたとき、前記各掛止フランジセグメントの両側に下向きに開放した開口ノッチが残されるように、前記薄膜窓には、前記環状溝に隣接する貫通開口が形成されていることを特徴とする請求項１に記載の蓋。
【請求項３】
前記薄膜窓には、強化リブが形成されていることを特徴とする請求項１に記載の蓋。
【請求項４】
前記切り離しストリップ部分の前記内向きに突出した掛止フランジは、複数の互いに離隔されたフランジセグメントから成ることを特徴とする請求項１に記載の蓋。
【請求項５】
前記切り離しストリップ部分には、前記環状溝に隣接して位置する窓が形成されていることを特徴とする請求項１に記載の蓋。
【請求項６】
前記切り離しストリップ部分には、その下方周縁と、該切り離しストリップ部分に形成された前記窓との間に薄肉部分が形成されていることを特徴とする請求項５に記載の蓋。
【請求項７】
前記中央部分と前記周縁スカートとの間に、前記容器のリムに密封係合する周縁密封溝を形成する手段を含むことを特徴とする請求項１に記載の蓋。
【請求項８】
該蓋及び容器の周辺形状は長方形であることを特徴とする請求項１に記載の蓋。
【請求項９】
該蓋及び容器の周辺形状は円形であることを特徴とする請求項１に記載の蓋。
【請求項１０】
前記スカート上方部分の外表面には、前記内向きに突出した各間欠掛止フランジに対応する位置に、該各間欠掛止フランジの位置を表示する凹部が形成されていることを特徴とする請求項１に記載の蓋。
【手続補正書】
【提出日】平成17年4月25日(2005.4.25)
【手続補正１】
【補正対象書類名】特許請求の範囲
【補正対象項目名】全文
【補正方法】変更
【補正の内容】
【特許請求の範囲】
【請求項１】
経皮送達システムの担体組成物中の薬物の劣化を防止するための製品包装システムであって、
（ａ）１つの開口部及び該開口部に対して同一の広がりを有し熱又は接着剤を用いて貼付された実質的に不透湿性のカバーシートを有する容器の形状に構成された、実質的に不透湿性で熱可塑性の製品パッケージと、
（ｂ）乾燥剤とを有し、該製品パッケージが、１つまたはそれより多くの子供に安全であって湿気に対して透過性の袋を備え、該袋が、
（ｉ）薬物を吸収せずまたは薬物と反応しない熱可塑性材料の一次層；
（ｉｉ）金属箔、ポリエチレン、ポリエステル、ビニルアセテート樹脂、エチレン／ビニルアセテートコポリマー、ポリウレタン、塩化ポリビニル、織物、不織物、布及び紙からなる群から選ばれ、熱又は接着剤を用いて前記一次層に貼付された二次層のシートまたはラミネート；及び、
（ｉｉｉ）非水担体組成物中に治療上有効な量の薬物を含む経皮システムであって、各経皮システムが１つまたはそれより多くの袋内にそれぞれ密封された前記経皮システム、
を含み、
前記１つまたはそれより多くの袋及び前記乾燥剤が前記製品パッケージ内に密封されていることを特徴とする、前記システム。
【請求項２】
前記製品パッケージがポリプロピレンを含む、請求項１に記載の製品包装システム。
【請求項３】
前記実質的に不透湿性のカバーシートが熱又は接着剤を用いて貼付されている、請求項１に記載の製品包装システム。
【請求項４】
前記製品パッケージが、カバーシートの上に再利用可能な蓋をさらに有する、請求項３に記載の製品包装システム。
【請求項５】
前記１つ又はそれより多くの袋が自己密封式である、請求項１に記載の製品包装システム。
【請求項６】
前記一次層がニトリルゴム変性アクリロニトリル−メチルアクリレートコポリマーであり、前記二次層がポリエステルである、請求項１に記載の製品包装システム。
【請求項７】
前記経皮システムが治療上有効な量のキラル薬物を含む、請求項１に記載の製品包装システム。
【請求項８】
前記キラル薬物がメチルフェニデートである、請求項７に記載の製品包装システム。
【請求項９】
前記乾燥剤が、１年の保存期間に亘って少なくとも１．５グラムの湿気を吸収することができる、請求項１に記載の製品包装システム。
【請求項１０】
経皮送達システムの担体組成物中の薬物の劣化を防止するための製品包装システムであって、
（ａ）１つの開口部及び該開口部に対して同一の広がりを有し熱又は接着剤を用いて貼付された実質的に不透湿性のカバーシートを有する容器の形状に構成された、実質的に不透湿性で熱可塑性の製品パッケージと、
（ｂ）乾燥剤とを有し、該製品パッケージが、１つまたはそれより多くの子供に安全であって湿気に対して透過性の袋を備え、該袋が、
（ｉ）ニトリルゴム変性アクリロニトリル−メチルアクリレートコポリマーの一次層；
（ｉｉ）熱又は接着剤を用いて前記一次層に貼付された、ポリエステルの二次層；及び、
（ｉｉｉ）非水担体組成物中に治療上有効な量のメチルフェニデートを含む経皮システムであって、各経皮システムが１つまたはそれより多くの袋内にそれぞれ密封された前記経皮システム、
を含み、
前記乾燥剤が１年の保存期間に亘って少なくとも１．５グラムの湿気を吸収することができ、前記１つまたはそれより多くの袋及び前記乾燥剤が前記製品パッケージ内に密封されていることを特徴とする、前記システム。
【請求項１１】
経皮送達システムの担体組成物中の薬物の劣化を防止するための製品包装システムであって、
（ａ）実質的に不透湿性で密封可能な製品パッケージと、
（ｂ）乾燥剤とを有し、該製品パッケージが、１つまたはそれより多くの湿気に対して透過性の袋を備え、該袋が、
（ｉ）薬物を吸収せずまたは薬物と反応しない熱可塑性材料の一次層；
（ｉｉ）金属箔、ポリエチレン、ポリエステル、ビニルアセテート樹脂、エチレン／ビニルアセテートコポリマー、ポリウレタン、塩化ポリビニル、織物、不織物、布及び紙からなる群から選ばれ、熱又は接着剤を用いて前記一次層に貼付された二次層のシートまたはラミネート；及び、
（ｉｉｉ）非水担体組成物中に治療上有効な量の薬物を含む経皮システムであって、各経皮システムが１つまたはそれより多くの袋内にそれぞれ密封された前記経皮システム、
を含み、
前記１つまたはそれより多くの袋及び前記乾燥剤が前記製品パッケージ内に密封されていることを特徴とする、前記システム。
【請求項１２】
前記製品パッケージが、熱可塑性材料、箔、及び紙からなる群から選ばれる障壁材料を含む、請求項１１に記載の製品包装システム。
【請求項１３】
前記１つ又はそれより多くの袋が自己密封式である、請求項１１に記載の製品包装システム。
【請求項１４】
前記一次層がニトリルゴム変性アクリロニトリル−メチルアクリレートコポリマーであり、前記二次層がポリエステルである、請求項１１に記載の製品包装システム。
【請求項１５】
前記経皮システムが治療上有効な量のキラル薬物を含む、請求項１１に記載の製品包装システム。
【請求項１６】
前記キラル薬物がメチルフェニデートである、請求項１５に記載の製品包装システム。
【請求項１７】
前記乾燥剤が、１年の保存期間に亘って少なくとも１．５グラムの湿気を吸収することができる、請求項１１に記載の製品包装システム。
【請求項１８】
経皮送達システムの担体組成物中の薬物の劣化を防止するための製品包装システムであって、
（ａ）バッグまたはポケットの形状に構成された、実質的に不透湿性で可撓性の製品パッケージと、
（ｂ）乾燥剤とを有し、該製品パッケージが、１つまたはそれより多くの子供に安全であって湿気に対して優先透過性の袋を備え、該袋が、
（ｉ）ニトリルゴム変性アクリロニトリル−メチルアクリレートコポリマーの一次層；
（ｉｉ）熱又は接着剤を用いて前記一次層に貼付された、ポリエステルの二次層；及び、
（ｉｉｉ）非水担体組成物中に治療上有効な量のメチルフェニデートを含む経皮システムであって、各経皮システムが１つまたはそれより多くの袋内にそれぞれ密封された前記経皮システム、
を含み、
前記乾燥剤が１年の保存期間に亘って少なくとも１．５グラムの湿気を吸収することができ、前記１つまたはそれより多くの袋及び前記乾燥剤が前記製品パッケージ内に密封されていることを特徴とする、前記システム。
【手続補正書】
【提出日】平成16年12月7日(2004.12.7)
【手続補正１】
【補正対象書類名】明細書
【補正対象項目名】特許請求の範囲
【補正方法】変更
【補正の内容】
【特許請求の範囲】
【請求項１】  好ましくは機械室なしエレベータであって、巻上機がトラクションシーブを介して１組の巻上ロープとかみ合い、該１組の巻上ロープは、実質的に円形の断面の巻上ロープを含み、該ロープは、円形および／または非円形断面の鋼線からより合わされた負荷保持部を有し、前記巻上ロープは、軌道上を移動するカウンタウエイトおよびエレベータカーを支持するエレベータにおいて、前記巻上ロープの鋼線の断面積は、約0.015 mm2より大きく、約0.2 mm2より小さく、前記巻上ロープの鋼線は、約2000 N/mm2を越える強度を有することを特徴とするエレベータ。
【請求項２】  請求項１に記載のエレベータにおいて、前記巻上ロープの鋼線の強度は、約2300 N/mm2より大きく、約2700 N/mm2より小さいことを特徴とするエレベータ。
【請求項３】  請求項１または２に記載のエレベータにおいて、該エレベータの巻上機の重量は、たかだか該エレベータの公称負荷の重量の約1/5であることを特徴とするエレベータ。
【請求項４】  請求項１から３までのいずれかに記載のエレベータにおいて、該エレベータの巻上機によって駆動される前記トラクションシーブの外側直径はたかだか約250 mmであることを特徴とするエレベータ。
【請求項５】  請求項１から４までのいずれかに記載のエレベータにおいて、該エレベータの巻上機の重量は、たかだか約100 kgであることを特徴とするエレベータ。
【請求項６】  請求項１から５までのいずれかに記載のエレベータにおいて、調速器ロープの直径は、前記巻上ロープより太いことを特徴とするエレベータ。
【請求項７】  請求項１から６までのいずれかに記載のエレベータにおいて、調速器ロープの直径は、前記巻上ロープと同じであることを特徴とするエレベータ。
【請求項８】  請求項１から７までのいずれかに記載のエレベータにおいて、該エレベータの巻上機の重量は、たかだか公称負荷の約1/6であり、有利にはたかだか公称負荷の約1/8であり、もっとも有利には公称負荷の約1/10より少ないことを特徴とするエレベータ。
【請求項９】  請求項１から８までのいずれかに記載のエレベータにおいて、エレベータ機械とその支持要素の全重量は、たかだか公称負荷の約1/5であり、好ましくはたかだか公称負荷の約1/8であることを特徴とするエレベータ。
【請求項１０】  請求項１から９までのいずれかに記載のエレベータにおいて、前記カーを支持するプーリの直径は、該カーを支持する構体に含まれる水平ビームの高さ以下であることを特徴とするエレベータ。
【請求項１１】  請求項１から10までのいずれかに記載のエレベータにおいて、前記プーリは、少なくとも部分的に前記ビームの内部に配置されることを特徴とするエレベータ。
【請求項１２】  請求項１から11までのいずれかに記載のエレベータにおいて、前記エレベータカーの軌道はエレベータ昇降路内にあることを特徴とするエレベータ。
【請求項１３】  請求項１から12までのいずれかに記載のエレベータにおいて、前記巻上ロープのストランド間および／またはワイヤ間の空間の少なくとも一部は、ゴム、ウレタン、もしくは他の実質的に非流体性の媒体により充填されていることを特徴とするエレベータ。
【請求項１４】  請求項１から13までのいずれかに記載のエレベータにおいて、前記巻上ロープは、ゴム、ウレタン、もしくは他の非金属材料からなる表面コンポーネントを有することを特徴とするエレベータ。
【請求項１５】  請求項１から14までのいずれかに記載のエレベータにおいて、少なくとも前記トラクションシーブのロープ溝は、非金属材料で被覆されていることを特徴とするエレベータ。
【請求項１６】  請求項１から15までのいずれかに記載のエレベータにおいて、前記トラクションシーブは、少なくともロープ溝を含むリム部において、非金属材料から作られていることを特徴とするエレベータ。
【請求項１７】  好ましくは機械室なしエレベータであって、巻上機がトラクションシーブを介して１組の巻上ロープとかみ合い、該１組の巻上ロープは、実質的に円形の断面の巻上ロープを含み、該ロープは、円形および／または非円形断面の鋼線からより合わされた負荷保持部を有し、前記巻上ロープは、軌道上を移動するカウンタウエイトおよびエレベータカーを支持するエレベータにおいて、前記巻上ロープの鋼線は、約2000 N/mm2を越える強度を有し、前記エレベータの巻上機によって駆動される前記トラクションシーブの外側直径はたかだか約250 mmであることを特徴とするエレベータ。
【請求項１８】  好ましくは機械室なしエレベータであって、巻上機がトラクションシーブを介して１組の巻上ロープとかみ合い、該１組の巻上ロープは、実質的に円形の断面の巻上ロープを含み、該ロープは、円形および／または非円形断面の鋼線からより合わされた負荷保持部を有し、前記巻上ロープは、軌道上を移動するカウンタウエイトおよびエレベータカーを支持するエレベータにおいて、前記巻上ロープの鋼線は、約2000 N/mm2を越える強度を有し、前記鋼線ロープのワイヤの太さは、0.15mmと0.5mmとの間であることを特徴とするエレベータ。
【手続補正書】
【提出日】平成17年5月9日(2005.5.9)
【手続補正１】
【補正対象書類名】特許請求の範囲
【補正対象項目名】全文
【補正方法】変更
【補正の内容】
【特許請求の範囲】
【請求項１】
シート綴じシステムであって、
複数枚の印刷済みシートを一枚ずつ搬送するためのシート搬送路と、
前記シート搬送路を移動中の前記シートの少なくとも一枚に形状特徴を打ち抜くように構成されているパンチと、
打ち抜き済み及び打ち抜いていないシートを積み重ねるための積み重ねシステムと、
完成したドキュメントを形成するために積み重ねられたシートを綴じる綴じシステムと、
前記シート搬送路及び前記パンチを制御して、打ち抜きスケジュールに従って、前記シートの幾つかに形状特徴を打ち抜き、前記シートの残りのものには形状特徴を打ち抜かないようにプログラムされるコントローラと、
を備えていることを特徴とするシート綴じシステム。
【請求項２】
前記パンチは、縁部形状特徴を形成するように前記シートの縁部を打ち抜くように構成されていることを特徴とする請求項１に記載のシート綴じシステム。
【請求項３】
前記縁部形状特徴は、前記シートの前後縁部に形成されることを特徴とする請求項２に記載のシート綴じシステム。
【請求項４】
前記縁部形状特徴は、前記シートの前縁部に形成されることを特徴とする請求項２に記載のシート綴じシステム。
【請求項５】
前記縁部形状特徴は、前記シートの後縁部に形成されることを特徴とする請求項２に記載のシート綴じシステム。
【請求項６】
前記縁部形状特徴は、フィンガインデックスであることを特徴とする請求項２に記載のシート綴じシステム。
【請求項７】
前記コントローラは、一連のページにフィンガインデックスをさまざまな深さで位置決めして打ち抜くために前記シート搬送路を制御することを特徴とする請求項２に記載のシート綴じシステム。
【請求項８】
前記コントローラは、一連のページにフィンガインデックスをさまざまな深さで位置決めして打ち抜くために前記パンチを制御することを特徴とする請求項２に記載のシート綴じシステム。
【請求項９】
前記フィンガインデックスは半円形であることを特徴とする請求項６に記載のシート綴じシステム。
【請求項１０】
前記フィンガインデックスは多角形であることを特徴とする請求項６に記載のシート綴じシステム。
【請求項１１】
前記パンチは、インデックスタブの形の縁部形状特徴を形成するように前記シートの縁部を打ち抜くように構成されることを特徴とする請求項２に記載のシート綴じシステム。
【請求項１２】
前記綴じシステムは、ステープラーであることを特徴とする請求項１に記載のシート綴じシステム。
【請求項１３】
前記綴じシステムは、接着剤を利用することを特徴とする請求項１に記載のシート綴じシステム。
【請求項１４】
前記コントローラの前記打ち抜きスケジュールは、シートスタック内のシートの位置に基づいて、シートを打ち抜くべきか否かを判定することを特徴とする請求項１に記載のシート綴じシステム。
【請求項１５】
前記パンチは、前記形状特徴を前記シートの縁部に沿ったさまざまな位置に位置決めするために打ち抜かれる前記シートの縁部に略平行な方向に移動可能であることを特徴とする請求項１に記載のシート綴じシステム。
【請求項１６】
前記パンチは、ドキュメントのカバーを形成するシートに窓を打ち抜くように構成されていることを特徴とする請求項１に記載のシート綴じシステム。
【請求項１７】
前記パンチは、切り取りカードを形成するためにミシン目を打ち抜くように構成されることを特徴とする請求項１に記載のシート綴じシステム。
【請求項１８】
前記パンチは、鋸歯縁形状特徴を形成するために前記シートの縁部を打ち抜くように構成されることを特徴とする請求項１に記載のシート綴じシステム。
【手続補正書】
【提出日】平成16年11月30日(2004.11.30)
【手続補正１】
【補正対象書類名】明細書
【補正対象項目名】特許請求の範囲
【補正方法】変更
【補正の内容】
【特許請求の範囲】
【請求項１】  Ｔ３、血清アルブミンおよび水を含有する組成物であって、Ｔ３の安定性は増加している、組成物。
【請求項２】  前記Ｔ３が、約−３０℃〜約７０℃の温度範囲にて、少なくとも５日間の半減期を有する、請求項１に記載の組成物。
【請求項３】  薬学的に受容可能な賦形剤をさらに含有する、請求項１に記載の組成物。
【請求項４】  静脈内投与における使用に適する、請求項３に記載の組成物。
【請求項５】  直接の心臓投与における使用に適する、請求項３に記載の組成物。
【請求項６】  非経口投与における使用に適する、請求項３に記載の組成物。
【請求項７】  粘膜投与における使用に適する、請求項３に記載の組成物。
【請求項８】  前記粘膜投与が、鼻腔内投与、吸入による投与および頬投与からなる群から選択される、請求項７に記載の組成物。
【請求項９】  前記Ｔ３が、少なくとも２週間の半減期を有する、請求項８に記載の組成物。
【請求項１０】  前記Ｔ３が、少なくとも１ヶ月の半減期を有する、請求項１に記載の組成物。
【請求項１１】  前記Ｔ３が、少なくとも３ヶ月の半減期を有する、請求項１に記載の組成物。
【請求項１２】  前記Ｔ３が、少なくとも６ヶ月の半減期を有する、請求項１に記載の組成物。
【請求項１３】  前記Ｔ３が、少なくとも１２ヶ月の半減期を有する、請求項１に記載の組成物。
【請求項１４】  Ｔ３と前記血清アルブミンとの比率が、約０．００１と約０．１との間である、請求項１に記載の組成物。
【請求項１５】  Ｔ３と前記血清アルブミンとの比率が、０．００２と０．０５との間である、請求項１に記載の組成物。
【請求項１６】  前記血清アルブミンが、ヒト血清アルブミンである、請求項３に記載の組成物。
【請求項１７】  前記血清アルブミンが、ウシ血清アルブミンである、請求項３に記載の組成物。
【請求項１８】  前記Ｔ３が、０．０２ｍｇ／ｍｌと０．８ｍｇ／ｍｌとの間の濃度を有する、請求項１に記載の組成物。
【請求項１９】  前記Ｔ３が、０．０１ｍｇ／ｍｌと１．０ｍｇ／ｍｌとの間の濃度を有する、請求項１に記載の組成物。
【請求項２０】  前記Ｔ３が、０．１ｍｇ／ｍｌと０．５ｍｇ／ｍｌとの間の濃度を有する、請求項１に記載の組成物。
【請求項２１】  前記Ｔ３が、約０．１ｍｇ／ｍｌの濃度を有する、請求項１に記載の組成物。
【請求項２２】  ｐＨの範囲が約２．５〜約１１．５である、請求項１に記載の組成物。
【請求項２３】  ｐＨの範囲が約４．０〜約１０である、請求項１に記載の組成物。
【請求項２４】  ｐＨの範囲が約６．０〜約８．０である、請求項１に記載の組成物。
【請求項２５】  ｐＨの範囲が約６．５〜約７．５である、請求項１に記載の組成物。
【請求項２６】  有効な心機能を回復するための、心拍停止、または心臓の電気的停止を有する患者の処置のための組成物であって、Ｔ３、血清アルブミンおよび水を含有し、Ｔ３の安定性は増加している、組成物。
【請求項２７】  前記心拍停止が、電気機械解離によって引き起こされる、請求項２６に記載の組成物。
【請求項２８】  前記心臓の電気的停止が、疾患によって引き起こされる、請求項２６に記載の組成物。
【請求項２９】  前記組成物が、前記患者の心腔への直接注入のための形態、または該患者の中央静脈ラインへの直接非経口注入のための形態である、請求項２６に記載の組成物。
【請求項３０】  前記組成物が、非経口注入または非経口静脈内注入のための形態である、請求項２６に記載の組成物。
【請求項３１】  前記組成物が、前記患者の肺系へ直接的に投与するための形態である、請求項２６に記載の組成物。
【請求項３２】  前記組成物が、気管内直接注入によって前記肺系へ直接的に投与するための形態である、請求項２６に記載の組成物。
【請求項３３】  前記組成物が、前記患者の呼吸気道を介する注入によって、前記肺系へ直接的に投与するための組成物である、請求項２６に記載の組成物。
【請求項３４】  前記組成物が、迅速なボーラス注入のための形態である、請求項２６に記載の組成物。
【請求項３５】  前記組成物が、体重１ｋｇあたり０．１μｇと２０μｇとの間のＴ３を含む、請求項２６に記載の組成物。
【請求項３６】  前記組成物が、体重１ｋｇあたり０．２μｇと１０μｇとの間のＴ３を含む、請求項２６に記載の組成物。
【請求項３７】  前記組成物が、体重１ｋｇあたり０．３μｇと５μｇとの間のＴ３を含む、請求項２６に記載の組成物。
【請求項３８】  前記組成物が、体重１ｋｇあたり１００μｇのＴ３を含む、請求項２６に記載の組成物。
【請求項３９】  前記組成物が、点滴静注を介して投与するための形態である、請求項２６に記載の組成物。
【請求項４０】  前記組成物が、粘膜送達を介して投与するための形態である、請求項２６に記載の組成物。
【手続補正書】
【提出日】平成15年10月3日(2003.10.3)
【手続補正１】
【補正対象書類名】特許請求の範囲
【補正対象項目名】全文
【補正方法】変更
【補正の内容】
【特許請求の範囲】
【請求項１】
１またはそれ以上の薬学的に許容される希釈剤またはその担体とともに、式Ｉ
【化１】
2004525899.tif 000001
〔式中、
Ｒ１はＣＨ３またはＣ３〜６アルキニルであり、
Ｒ２はＨまたは−ＣＨ２−ＣＨ２−ＯＨであり、そして
Ｘは＝Ｏ、(Ｈ,Ｈ)または(Ｈ,ＯＨ)であり、
ただし、Ｘが＝Ｏであり、かつ、Ｒ１はＣＨ３である場合、Ｒ２はＨ以外である。〕
の化合物を含む、固形腫瘍処置をするための医薬組成物。
【請求項２】
式Ｉの化合物を含む、固形腫瘍侵襲またはそのような腫瘍増殖に伴う症候を処置するための、請求項１に記載の医薬組成物。
【請求項３】
ラパマイシンまたはラパマイシン誘導体を含む、脱調節性血管新生を阻害または制御するための、医薬組成物。
【請求項４】
ａ)請求項１において定義された式Ｉの化合物およびｂ)化学療法剤であるコエージェントを含んでなる組合せ医薬。
【請求項５】
コエージェントが、
i.  アロマターゼインヒビター、
ii.  抗エストロゲン、抗アンドロゲンまたはゴナドレリンアゴニスト、
iii.  トポイソメラーゼＩインヒビターまたはトポイソメラーゼＩＩインヒビター、
iv.  微小管活性化剤、アルキル化剤、抗悪性腫瘍性代謝拮抗薬またはプラチナ化合物、
v.  タンパク質もしくは脂質キナーゼ活性またはタンパク質もしくは脂質ホスファターゼ活性を標的化／減少化する化合物、さらなる抗血管新生性化合物あるいは細胞分化プロセスを誘導する化合物、
vi.  ブラジキニン１レセプターまたはアンギオテンシンＩＩアンタゴニスト、
vii.  シクロオキシゲナーゼインヒビター、ビスホスホネート、ヒストンデアセチラーゼインヒビター、ヘパラナーゼインヒビター、生物学的応答修飾因子、ユビキチン化インヒビター、抗アポトーシス経路をブロックするインヒビター、
viii.  Ｒａｓ発癌性アイソフォームのインヒビター、
ix.  テロメラーゼインヒビター、および
x.  プロテアーゼインヒビター、マトリックスメタロプロテイナーゼインヒビター、メチオニン アミノペプチダーゼインヒビター、またはプロテオソームインヒビターから選択される、請求項４に記載の組合せ医薬。
【請求項６】
ａ)ラパマイシンまたはラパマイシン誘導体、およびｂ)請求項５に記載したパラグラフ(i.)および(v.)〜(x.)で列挙したものから選択される化学療法剤であるコエージェント、を含んでなる、組合せ医薬。
【手続補正書】
【提出日】平成17年2月21日(2005.2.21)
【手続補正１】
【補正対象書類名】特許請求の範囲
【補正対象項目名】全文
【補正方法】変更
【補正の内容】
【特許請求の範囲】
【請求項１】
少なくとも１種の正電荷担体と、該正電荷担体と異なる少なくとも１種の負電荷担体とを含む両性リポソームであって、該リポソームが４〜８の等電点を有し、該リポソームが、ホスファチジルコリン、ホスファチジルエタノールアミン、コレステロール、テトラエーテル脂質、セラミド、スフィゴ脂質及び／又はジアクリルグルセロールからなる群より選ばれた中性脂質を含むことを特徴とする、両性リポソーム。
【請求項２】
前記リポソームが、５〜７の等電点を有する、請求項１記載の両性リポソーム。
【請求項３】
少なくとも１種の両性電荷担体を含む両性リポソームであって、該両性電荷担体が４〜８のｐH範囲内で可逆的に再充填可能であり、前記リポソームが４〜８の等電点を有し、該リポソームが、ホスファチジルコリン、ホスファチジルエタノールアミン、コレステロール、テトラエーテル脂質、セラミド、スフィゴ脂質及び／又はジアクリルグルセロールからなる群より選ばれた中性脂質を含むことを特徴とする、両性リポソーム。
【請求項４】
前記両性荷電担体が、５〜７の等電点を有する、請求項１〜３のいずれか１項に記載の両性リポソーム。
【請求項５】
少なくとも１種の両性電荷担体と、少なくとも１種の陰イオン及び／又は陽イオン電荷担体とを含む両性リポソームであって、前記両性電荷担体が４〜８のｐH範囲内で可逆的に再充填可能であり、前記リポソームが、ホスファチジルコリン、ホスファチジルエタノールアミン、コレステロール、テトラエーテル脂質、セラミド、スフィゴ脂質及び／又はジアクリルグルセロールからなる群より選ばれた中性脂質を含むことを特徴とする、両性リポソーム。
【請求項６】
前記リポソームが、５〜７の等電点を有する、請求項５記載の両性リポソーム。
【請求項７】
前記リポソームが、50〜1000ｎｍの平均サイズを有する、請求項１〜６のいずれか１項に記載の両性リポソーム。
【請求項８】
有効成分を含む、請求項１〜７のいずれか１項に記載の両性リポソーム。
【請求項９】
前記有効成分がタンパク質、ぺプチド、ＤＮＡ、ＲＮＡ、アンチセンスヌクレオチド及び／又はデコイヌクレオチドである、請求項８に記載の両性リポソーム。
【請求項１０】
有効成分の少なくとも80％が前記リポソームの内部にある、請求項８又は９に記載の両性リポソーム。
【請求項１１】
請求項８〜１０記載の有効成分をリポソームに充填する方法であって、封入するために決められたpＨが用いられ、結合していない物質を分離するために第二pＨが用いられることを特徴とする方法。
【請求項１２】
請求項８〜１０記載の有効成分をリポソームに充填する方法であって、該リポソームが決められたpＨで透過化処理され閉鎖されることを特徴とする方法。
【請求項１３】
ナノカプセルを製造するための請求項１〜１０のいずれか１項に記載のリポソームの使用。
【請求項１４】
診断における放出システムを製造するための請求項１〜１０のいずれか１項に記載のリポソームの使用。
【請求項１５】
有効成分を運搬及び／又は放出するための請求項１〜１０のいずれか１項に記載のリポソームの使用。
【請求項１６】
徐放性製剤及び／又は循環デポとしての請求項１〜１０のいずれか1項に記載のリポソームの使用。
【請求項１７】
ベクターとしての請求項１〜１０のいずれか1項に記載のリポソームの使用。
【手続補正書】
【提出日】平成15年7月18日(2003.7.18)
【手続補正１】
【補正対象書類名】明細書
【補正対象項目名】特許請求の範囲
【補正方法】変更
【補正の内容】
【特許請求の範囲】
【請求項１】
少なくとも１種の鉱物基礎材料を少なくとも１種の補強繊維材料と混合することを含み、前記補強繊維材料は、少なくとも１種のセルロース系繊維材料、少なくとも１種の調整材料および水を含み、
前記調整材料が無機調整材料を含むときには、前記無機調整材料はスラリーの形態にあることを特徴とする鉱物基礎材料の補強方法。
【請求項２】
前記調整材料は、フライアッシュとシリカヒュームとを含めたシリカ富化材料、スラグ、熱処理粘土とメタカオリンと粘土とを含めたアルミノ珪酸塩、砕岩からの微粉末、細砂、シリカゲル、タルク、沈降炭酸カルシウムと粉化炭酸カルシウムとを含めた炭酸カルシウム、硫酸アルミニウム、木灰、ジャガイモデンプンとトウモロコシデンプンとを含めた陰イオン性ポリマーと陽イオン性ポリマーとを含めた繊維材料に吸着または結合可能なポリマー、界面活性物質、水、および、おがくずのうちの少なくとも１種から選択されることを特徴とする請求項１に記載の方法。
【請求項３】
前記シリカ富化材料は、シリカヒュームおよびフライアッシュのうちの少なくともいずれか一方から選択されることを特徴とする請求項２に記載の方法。
【請求項４】
前記シリカ富化材料は、シリカヒュームであることを特徴とする請求項３に記載の方法。
【請求項５】
前記シリカ富化材料は、フライアッシュであることを特徴とする請求項３に記載の方法。
【請求項６】
前記陽イオン性ポリマーは、デンプンおよび界面活性物質のうちの少なくともいずれか一方から選択されることを特徴とする請求項２に記載の方法。
【請求項７】
前記デンプンは、ジャガイモデンプンおよびトウモロコシデンプンのうちの少なくともいずれか一方から選択されることを特徴とする請求項６に記載の方法。
【請求項８】
前記セルロース系繊維材料は、木質繊維、非木質繊維、再生繊維および砕木パルプのうちの少なくともいずれか１種を含むことを特徴とする請求項１に記載の方法。
【請求項９】
前記木質繊維は、硬質木材繊維および軟質木材繊維のうちの少なくともいずれか一方を含むことを特徴とする請求項８に記載の方法。
【請求項１０】
前記軟質木材繊維は、テーダマツ、バンクスマツ、白エゾマツ、ロージポールマツ、セコイアスギおよびベイマツを含めた針葉樹からの繊維を含むことを特徴とする請求項９に記載の方法。
【請求項１１】
前記硬質木材繊維は、オーク、ポプラ、カバノキおよびブナノキを含めた広葉樹からの繊維を含むことを特徴とする請求項９に記載の方法。
【請求項１２】
前記非木質繊維は、麻アマ、バガス、マイラ、ワタ、カラムシ、ジュートマニラ麻、バナナ、ケナフ、シサル麻、コムギ、イネ、竹およびパイナップルのうちの少なくともいずれか１種からの繊維を含むことを特徴とする請求項８に記載の方法。
【請求項１３】
前記再生繊維は、紙製品からの繊維を含むことを特徴とする請求項８に記載の方法。
【請求項１４】
前記鉱物基礎材料は、セメント基礎材料、粘土基礎材料、アスファルト基礎材料、モルタル、コンクリート、セラミックタイル、グラウトおよびテラゾのうちの少なくとも１種から選択されることを特徴とする請求項１に記載の方法。
【請求項１５】
前記鉱物基礎材料は、セメント基礎材料であることを特徴とする請求項１に記載の方法。
【請求項１６】
前記鉱物基礎材料は、モルタルであることを特徴とする請求項１に記載の方法。
【請求項１７】
補強された前記鉱物基礎材料は、早期割れおよび収縮割れが低減されたことを特徴とする請求項１に記載の方法。
【請求項１８】
補強された前記鉱物基礎材料は、延性が改善されたことを特徴とする請求項１に記載の方法。
【請求項１９】
補強された前記鉱物基礎材料は、鉱物基礎材料の靭性が改善されたことを特徴とする請求項１に記載の方法。
【請求項２０】
補強された前記鉱物基礎材料は、繊維セメントパネルにされることを特徴とする請求項１に記載の方法。
【請求項２１】
補強された前記鉱物基礎材料は、損傷した鉱物基礎材料に継ぎ当てするものまたは修繕するものであることを特徴とする請求項１に記載の方法。
【請求項２２】
少なくとも１種の鉱物基礎材料および少なくとも１種の補強繊維材料を含み、前記補強繊維材料は、少なくとも１種のセルロース系繊維材料、少なくとも１種の調整材料および水を含み、
前記調整材料が無機調整材料を含むときには、前記無機調整材料はスラリーの形態にあることを特徴とする組成物。
【請求項２３】
前記鉱物基礎材料は、セメント基礎材料、粘土基礎材料、アスファルト基礎材料、モルタル、コンクリート、セラミックタイル、グラウトおよびテラゾのうちの少なくとも１種から選択されることを特徴とする請求項２２に記載の組成物。
【請求項２４】
前記セルロース系繊維材料は、木質繊維、非木質繊維、再生繊維および砕木パルプのうちの少なくともいずれか１種を含むことを特徴とする請求項２２に記載の組成物。
【請求項２５】
前記木質繊維は、硬質木材繊維および軟質木材繊維のうちの少なくともいずれか一方を含むことを特徴とする請求項２４に記載の組成物。
【請求項２６】
前記調整材料は、フライアッシュとシリカヒュームとを含めたシリカ富化材料、スラグ、熱処理粘土とメタカオリンと粘土とを含めたアルミノ珪酸塩、砕岩からの微粉末、細砂、シリカゲル、タルク、沈降炭酸カルシウムと粉化炭酸カルシウムとを含めた炭酸カルシウム、硫酸アルミニウム、木灰、ジャガイモデンプンとトウモロコシデンプンとを含めた陰イオン性ポリマーと陽イオン性ポリマーとを含めた繊維材料に吸着または結合可能なポリマー、界面活性物質、水、および、おがくずのうちの少なくとも１種から選択されることを特徴とする請求項２２に記載の組成物。
【請求項２７】
前記組成物は、早期割れまたは収縮割れが低減されたことを特徴とする請求項２２に記載の組成物。
【請求項２８】
前記組成物は、延性が改善されたことを特徴とする請求項２２に記載の組成物。
【請求項２９】
前記組成物は、靭性が改善されたことを特徴とする請求項２２に記載の組成物。
【請求項３０】
前記組成物は、繊維セメントパネルとしての形態にあることを特徴とする請求項２２に記載の組成物。
【請求項３１】
前記組成物は、損傷した鉱物基礎材料に継ぎ当てするものまたは修繕するものであることを特徴とする請求項２２に記載の組成物。
【請求項３２】
前記軟質木材繊維は、テーダマツ、バンクスマツ、白エゾマツ、ロージポールマツ、セコイアスギおよびベイマツを含めた針葉樹からの繊維を含むことを特徴とする請求項２５に記載の組成物。
【請求項３３】
前記硬質木材繊維は、オーク、ポプラ、カバノキおよびブナノキを含めた広葉樹からの繊維を含むことを特徴とする請求項２５に記載の組成物。
【請求項３４】
前記再生繊維は、紙製品からの繊維を含むことを特徴とする請求項２４に記載の組成物。
【請求項３５】
前記非木質繊維は、麻アマ、バガス、マイラ、ワタ、カラムシ、ジュートマニラ麻、バナナ、ケナフ、シサル麻、コムギ、イネ、竹およびパイナップルのうちの少なくともいずれか１種からの繊維を含むことを特徴とする請求項２４に記載の組成物。
【手続補正書】
【提出日】平成17年3月29日(2005.3.29)
【手続補正１】
【補正対象書類名】特許請求の範囲
【補正対象項目名】全文
【補正方法】変更
【補正の内容】
【特許請求の範囲】
【請求項１】
近ＩＲ色素と、非イオン界面活性剤、双性イオン界面活性剤、およびそれらの混合物の群から選択される約０．５質量％より多い界面活性剤とを含有する組成物であって、該組成物が約５０℃と約９５℃との間のサイクルを含む熱サイクル処理において安定であり、前記近ＩＲ色素が電磁エネルギーを加えた際にこの組成物を加熱するに有効な量存在する組成物。
【請求項２】
近ＩＲ色素と、酵素と、非イオン界面活性剤、双性イオン界面活性剤、およびそれらの混合物の群から選択される約０．５質量％より多い界面活性剤とを含有する組成物であって、該組成物が約５０℃と約９５℃との間のサイクルを含む熱サイクル処理において安定であり、前記酵素がポリメラーゼまたはリガーゼである組成物。
【請求項３】
約５０℃と約９５℃との間のサイクルを含む熱サイクル処理における近ＩＲ色素を含む組成物を安定化させる方法であって、非イオン界面活性剤、双性イオン界面活性剤、およびそれらの混合物の群から選択される約０．５質量％より多い界面活性剤を組成物に添加するステップを含む方法。
【請求項４】
加熱処理を行う方法であって、
生体材料と；
近ＩＲ色素と；
非イオン界面活性剤、双性イオン界面活性剤、およびそれらの混合物の群から選択される約０．５質量％超の界面活性剤と、を含む試料混合物を第１の温度において提供すステップと；
第１の温度よりも高い第２の温度に試料混合物を直接加熱するステップと、を含み；
ここで前記近ＩＲ色素が約５０℃と約９５℃との間のサイクルを含む熱サイクル処理下に安定である、方法。
【請求項５】
水素結合分子を変性させる方法であって、
水素結合分子と、近ＩＲ色素と、非イオン界面活性剤、双性イオン界面活性剤、およびそれらの混合物の群から選択される約０．５質量％超の界面活性剤と、を含む試料混合物を第１の温度において提供するステップと；
前記水素結合分子を変性させるのに有効な第１の温度よりも高い第２の温度に試料混合物を直接加熱するステップと、を含み；
ここで前記近ＩＲ色素が約５０℃と約９５℃との間のサイクルを含む熱サイクル処理下に安定である、方法。
【手続補正書】
【提出日】平成16年12月9日(2004.12.9)
【手続補正１】
【補正対象書類名】明細書
【補正対象項目名】０００９
【補正方法】変更
【補正の内容】
【０００９】
大腸菌由来のAGPPaseの生産及び精製
AGPPaseは、様々な系統の大腸菌（とりわけてBL２１，ATCC１２７９３及びK１２）、サルモネラ・チフィムリウム（Salmonella typhimurium）及びハエモフィルス・インフルザエ（Haemophilus influenzae）中に存在する。本発明中で記載したAGPPaseの生産及び精製をする一般的な方法は大腸菌 BL２１を用いて例示されており、そして以下の段階を伴う。ここで抽出及び精製の方法の全体的な考えを実質的に変えることはない小さな変更が行われて良い。
１．M９最小培地（９６mMのNa2HPO4、４４mMのKH2PO4、１５mMのNaCl、３５mMのNH4Cl、０．１mMのCaCl2、２mMのMgSO4）と５mMのグルコース中で定常状態迄増殖した細菌懸濁３０lの１０，０００ｇでの遠心。
２．細菌を２００mlの５０mMトリスHCl、pH７．５中で再懸濁し、音波処理後、１００，０００ｇで３０分に渡り超遠心する。
３．上清を５８℃で１０分に渡り加熱し、そして３０，０００ｇで３０分に渡り遠心する。
４．上清のタンパク質を３０〜５０％の硫酸アンモニウム中で沈澱させ、そして５０mMのトリスHCl、pH７．５、２．７ml中で再懸濁する。
５．試料を、５０mMのトリスHCl、pH７．５／１５０mMのNaClで予め平衡化されたSuperdex２００型のゲルろ過カラム（Pharmacia LKB）に適用する。
６．AGPPase活性を示す画分を濃縮し、透析し、そして５０mMのトリスHCl、pH７．５で平衡化されたMono-Qカラム（HR５x５、Pharmacia）に適用する。酵素を、３０mMのトリスHCl、pH８．０中、KCl ４５mlの０〜１Ｍの勾配で溶出させる。
７．活性画分をRotofor Cell (Bio-Rad) を用いる等電点泳動の段階に掛ける。
【誤訳訂正書】
【提出日】平成16年3月18日(2004.3.18)
【誤訳訂正１】
【訂正対象書類名】明細書
【訂正対象項目名】００５６
【訂正方法】変更
【訂正の内容】
【００５６】
ｅｎｔＣ遺伝子を、相当する方法で製造した。Ｅ．Ｃｏｌｉ  Ｗ３１１０からの染色体ＤＮＡを、オリゴヌクレオチド  ＧＧＣ  ＧＡＧ  ＣＴＣ  ＡＴＴ  ＡＴＴ  ＡＡＡ  ＧＣＣ  ＴＴＴおよびＴＧＣ  ＧＧＡ  ＴＣＣ  ＴＣＧ  ＣＴＣ  ＣＴＴ  ＡＴＴ  ＧＣを用いてＰＣＲをおこなった。このＰＣＲ条件は次の通りであった：２分（９４℃）、１０サイクル：−熱変性  ０．５分（９４℃）、アニーリング  ０．７５分（４０℃）、伸長  １分（７２℃）−、２０サイクル：−熱変性  ０．５分（９４℃）、アニーリング  ０．７５分（５５℃）、伸長  １分＋１０秒／サイクル（７２℃）−、その後に４℃に冷却した。
【手続補正書】
【提出日】平成15年8月29日(2003.8.29)
【手続補正１】
【補正対象書類名】特許請求の範囲
【補正対象項目名】全文
【補正方法】変更
【補正の内容】
【特許請求の範囲】
【請求項１】
０℃〜37℃の温度で行われ、以下の特性：
Ａ）バッファーのpH値が7.5 〜10.5の範囲にある、
Ｂ）折りたたみを補助する低分子量物質の存在、
Ｃ）酸化還元シャッフル系の存在、
Ｄ）存在するCa2+イオンと比べて半化学量論的な濃度での複合体化剤の存在
を有することを特徴とする折りたたみバッファーに変性酵素原プロテイナーゼＫが移される、変性酵素原プロテイナーゼＫの天然化のための方法。 
【請求項２】
変性剤が、天然化の間、50mM未満の濃度で存在する請求項１記載の方法。
【請求項３】
折りたたみを補助する低分子量物質が、以下の群：
0.5 〜2.0Mの濃度のＬ- アルギニン、
0.5M〜2.0Mの濃度のTris、
0.5M〜2.0Mの濃度のトリエタノールアミン、
60mM〜120mM の濃度のα- シクロデキストリン
の低分子量化合物から選ばれ、単独または混合物として添加される請求項１または２記載の方法。 
【請求項４】
以下の特性：
Ａ）バッファーのpH値が7.5 〜10.5の範囲にある、
Ｂ）折りたたみを補助する低分子量物質の存在、
Ｃ）酸化還元シャッフル系の存在、
Ｄ）存在するCa2+イオンと比べて半化学量論的な濃度での複合体化薬剤の存在
により特徴づけられる折りたたみバッファー。 
【請求項５】
活性プロテイナーゼＫが天然のプロテイナーゼＫおよび阻害プロペプチドからなる不活性複合体から放出される、天然のプロテイナーゼＫの酵素原前駆体を活性化する方法であって、界面活性を添加することによりそれが放出されることを特徴とする、方法。 
【請求項６】
組換えプロテイナーゼＫの製造方法であって、プロテイナーゼＫの酵素原プロフォームが、インビトロ天然化により折りたたまれ、自己触媒的切断により活性形態に変換されることを特徴とする、方法。 
【請求項７】
プロテイナーゼＫの酵素原前駆体をコードする組換え核酸で宿主細胞を形質転換することによる組換えプロテイナーゼＫの製造方法であって、
酵素原プロテイナーゼＫが封入体の形態で宿主細胞において形成される様式で宿主細胞が培養され、
封入体が、続いて、単離され、プロテイナーゼＫの酵素原前駆体が可溶化され、
プロテイナーゼＫの酵素原前駆体が、続いて、請求項１〜３いずれか記載の方法により天然化され、および天然化された酵素原プロテイナーゼＫが請求項５記載の方法により活性化される、ことを特徴とする、方法。 
【請求項８】
大腸菌における発現のために最適化された組換え酵素原プロテイナーゼＫをコードするコドン最適化組換え核酸。